(57)【特許請求の範囲】
【請求項１】
車両が搭載している自動変速機を制御する変速機制御装置であって、
前記自動変速機の物理状態の実測値を取得する実測値取得部、
前記実測値に基づき前記自動変速機の状態量を算出する状態量演算部、
前記状態量の目標値を設定する目標値設定部、
前記状態量が前記目標値となるように前記自動変速機を動作させる制御入力を算出するとともに前記制御入力にしたがって前記自動変速機を制御するための制御指令を出力する制御部、
を備え、
前記状態量演算部は、前記状態量として、第１次、第２次、および第３次状態量を算出し、
前記第１次状態量は、前記目標値と前記第２次状態量との間の偏差を時間積分した値であり、
前記第２次状態量は、前記状態量であり、
前記第３次状態量は、前記第２次状態量の時間微分であり、
前記制御部は、前記状態量を用いて表される切換関数によって構成された平滑関数または符号関数に対してさらに切換ゲインを乗じることにより得られる前記制御入力を算出する非線形制御入力演算部を備え、
前記非線形制御入力演算部は、時定数を加算した上で前記切換関数を時間積分して算出される第１パラメータを用いて、前記切換関数の値が大きいほど前記切換ゲインが大きくなるように、前記切換関数の値に応じて前記切換ゲインを変化させ、前記切換関数の値が０になっても前記時定数に対応する期間は前記第１パラメータが０にならないようにする
ことを特徴とする変速機制御装置。
【請求項２】
前記非線形制御入力演算部は、前記第１パラメータの最大値に対して１未満０超の安全係数を乗じることにより得られる第２パラメータと、前記第１パラメータとの和を、前記切換ゲインとして算出する
ことを特徴とする請求項１記載の変速機制御装置。
【請求項３】
前記制御部は、前記切換関数の符号を表す符号関数を前記切換ゲインに対してさらに乗じ、または前記切換関数と前記切換関数の絶対値と平滑関数パラメータによって表される平滑関数を前記切換ゲインに対してさらに乗じることにより、前記制御入力を算出する
ことを特徴とする請求項１記載の変速機制御装置。
【請求項４】
前記非線形制御入力演算部は、下記式１にしたがって前記切換ゲインを算出する
ことを特徴とする請求項１記載の変速機制御装置。
【数１】
0006564732.tif 000013
【発明の詳細な説明】
【技術分野】
【０００１】
本発明は、車両に搭載されている自動変速機を制御する装置に関するものである。
【背景技術】
【０００２】
車両に搭載されている自動変速機における変速機構は、一般的にソレノイドなどのアクチュエータを用いて制御される。アクチュエータは、変速機構がある定められた目標値となるようにフィードバック制御される。フィードバック制御としては、通常はＰＩＤ（Ｐｒｏｐｏｒｔｉｏｎａｌ  Ｉｎｔｅｇｒａｌ  Ｄｉｆｆｅｒｅｎｔｉａｌ）制御が用いられている。ＰＩＤ制御は、制御対象を目標値と実測値との間の偏差に応じて決まる制御量を用いてアクチュエータを動かすことにより、変速機構を意図するように動作させる。
【０００３】
自動変速機が実際に使用される環境においては、特性変化が絶えず発生する。ＰＩＤ制御が動作点の違いによる制御対象の特性変化に対して対応するためには、その動作点における特性を把握し、それに合わせて制御を補正しなければならない。制御対象の特性変化としては例えば、環境的な要因や経時的な要因がある。環境要因としては、エンジンの回転数に応じた負荷抵抗の変化、搭乗者数の増減による車両負荷抵抗の変動、などが挙げられる。経時的要因としては、長期使用による機械的な磨耗による摩擦係数の変化が挙げられる。
【０００４】
したがってＰＩＤ制御において、所望の性能を得るためには、膨大な走行シーンごとにそれぞれＰＩＤゲインを調整する必要がある。そうすると、制御ソフトウェアが複雑になり、またゲインマップをチューニングする作業工数が増大するなどの課題がある。そこでどのような状況変化にも順応に対応でき、チューニング作業が少なくなるような、ロバスト性が高い制御技術が求められていた。
【０００５】
上記のようなＰＩＤ制御の課題を補う制御アルゴリズムとして、近年、スライディングモード制御が注目されている。スライディングモード制御は、制御対象が備える動特性に着目し、複数のパラメータを同時に制御することにより制御性能を向上させる現代制御理論であり、ロバスト性はＰＩＤ制御よりも高い。
【０００６】
スライディングモード制御においては、等価制御入力と非線形制御入力の２つの制御入力を用いて、制御対象を目標値に収束させる。スライディングモード制御においては、制御対象が超平面を通過する際に非線形制御入力を非連続的に切り替えるので、超平面を表す関数は切換関数と呼ばれる。
【０００７】
超平面とは、制御対象が設計者の意図に沿って動いているときの挙動を示した平面である。スライディングモード制御は、制御対象が目標値に向かって収束する過程において、制御対象が超平面に沿って移動する挙動（スライディングモード）が見られるという特徴がある。切換関数の値は、制御目標と超平面との間の距離に相当する。制御対象が超平面に沿って遷移しているとき（すなわちスライディングモードのとき）、切換関数の値は０となる。
【０００８】
等価制御入力は、制御対象を超平面近傍に安定化させる役割を担う。等価制御入力は、外乱のない状態において切換関数の値を０へと近づけるための入力である。非線形制御入力は、制御対象を超平面上に拘束する役割を担う。制御対象は外乱が発生すると超平面から外れるので、切換関数の値が０ではなくなる、非線形制御入力は、このとき切換関数を０へ近づける機能を有する。言い換えると切換関数は外乱量を表すことになる。
【０００９】
切換関数を超平面近傍に安定化させる等価制御入力と、切換関数を超平面上に拘束する非線形制御入力とを適切に設計することにより、外乱の影響を受け難いロバストな制御を実現することができる。
【００１０】
下記特許文献１〜２は、エンジンの排気ガス再循環システムにおいて、スライディングモード制御を用いた技術を記載している。これら文献が示すように、自動車の制御においてスライディングモード制御が用いられている。
【先行技術文献】
【特許文献】
【００１１】
【特許文献１】特開２００９−２５０１８７号公報
【特許文献２】特開２０１０−２２９９７２号公報
【発明の概要】
【発明が解決しようとする課題】
【００１２】
スライディングモード制御において、制御対象を超平面近傍に安定化させるような等価制御入力を設計するためには、制御対象がどのように動くのかを把握し、その動特性を考慮する必要がある。すなわち制御対象の動的モデルを求めることが必要になる。しかし、環境や状況によって制御対象の特性は変化するので、多大な労力と時間をかけて正確な動的モデルを得ることは、現実的ではない。したがって制御対象の動的モデルとして、モデル化誤差を含んだモデルを設定し、等価制御入力はモデル化誤差を含んだ状態で設計されるのが一般的である。そうすると、等価制御入力はモデル化誤差を含んでいるので、制御対象は超平面からやや外れた近傍で制御されることになる。
【００１３】
これに対して非線形制御入力は、モデル化誤差を外乱の一部とみなし、切換関数すなわち外乱量の影響を打ち消すように制御する。具体的には、切換関数の値に応じて２つの制御量のうちいずれかを選択することにより（ｂａｎｇ−ｂａｎｇ制御、またはオンオフ制御）、制御対象を超平面上に拘束させることを図る。
【００１４】
スライディングモード制御における非線形制御入力のｂａｎｇ−ｂａｎｇ制御は、固定ゲイン値（以下、切換ゲイン）と切換関数σの符号関数ｓｇｎ（σ）との積（ゲイン×ｓｇｎ（σ））、または切換ゲインと切換関数σの平滑関数との積（ゲイン×平滑関数（σ））を、制御入力として用いることに相当する。すなわち非線形制御入力は、切換関数σの前後で非連続に切り替わることになる。この場合、切換ゲインの値が大きいほど非線形制御入力は非連続的に大きく変化するので、非線形制御入力が切換関数の値に応じて切り替わる際に大きな制御段差が生じる。この制御段差は、制御対象が高周波振動する現象（チャタリング）を生じさせるので、制御対象の動作を不安定化させてしまう場合がある。
【００１５】
特許文献１は、スライディングモード制御においてチャタリングを抑制する手法を記載している。同文献においては、モデル化誤差が既知である部分と不確定である部分とに分けて制御を実施している。具体的には、既知である部分については外乱量を示す切換関数の積分値を制御入力に対して追加することによりモデル化誤差を補正し、不確定部分に対してのみ非線形制御入力を用いる。これにより、非線形制御入力の切換段差を低減してチャタリングの影響を抑制している。しかしこの手法は、切換関数の積分値を用いて線形的に外乱補正することと等価であるので、積分量が計算されるまでの過渡応答の遅れやオーバーシュートが生じる可能性がある。また、制御対象の非線形な変化に対して追従することは困難であるので、ロバスト性が乏しい。
【００１６】
特許文献２においては、あらかじめ設定した補正量マップを制御入力に対して追加することにより、モデル化誤差の影響を小さくしてチャタリングを抑制している。しかし、予期しない外乱や特性変化が発生すると、あらかじめ設定した補正量マップによって対処することは困難であるので、ロバスト性が乏しい。また状況毎に必要な補正量をあらかじめ求めておかなければならないので、そのための作業工数が増加する。
【００１７】
本発明は、上述した課題を解決するためになされたものであり、スライディングモード制御を用いて自動変速機を制御する際に、チャタリングを抑制することができる技術を提供することを目的とする。
【課題を解決するための手段】
【００１８】
本発明に係る変速機制御装置は、切換関数の値が大きいほど非線形制御入力が大きくなるように、非線形制御入力のゲインを動的に調整する。
【発明の効果】
【００１９】
本発明に係る変速機制御装置によれば、スライディングモード制御の非線形制御入力に起因するチャタリングを抑制し、ロバスト性を向上させることができる。
【図面の簡単な説明】
【００２０】
【図１】変速機制御装置１１０を搭載した車両１００の構成図である。
【図２】ＴＣＵ１１０の内部構成を示すブロック図である。
【図３】式１１によって表される切換ゲインＫｎｌを用いた非線形制御入力Ｕｎｌの経時変化を表すタイミングチャートの例である。
【図４】ＴＣＵ１１０の動作例を示すタイミングチャートである。
【発明を実施するための形態】
【００２１】
＜本発明の装置構成について＞
図１は、本発明に係る変速機制御装置１１０を搭載した車両１００の構成図である。車両１００は、変速機制御装置（Ｔｒａｎｓｍｉｓｓｉｏｎ  Ｃｏｎｔｒｏｌ  Ｕｎｉｔ）１１０、エンジン１２０、変速機１３０、モータドライバ１４０、エンジン制御装置（Ｅｎｇｉｎｅ  Ｃｏｎｔｒｏｌ  Ｕｎｉｔ）１５０を備える。
【００２２】
エンジン１２０は、クランクシャフト１６１、変速機１３０、ドライブシャフト１６２を介して、タイヤ１６３に対して動力を伝達する。クランクシャフト１６１は、変速機１３０の入力軸に対して回転を伝達する。変速機１３０の出力軸の回転は、ドライブシャフト１６２を介してタイヤ１６３に対して伝達される。
【００２３】
ＥＣＵ１５０は、エンジン１２０が最適な運転状態となるように、エンジン１２０が内部的に備えるアクチュエータなどを制御する。エンジン１２０には回転数センサ１２１が取り付けられており、ＥＣＵ１５０は通信路１７１（例えばＣＡＮ（Ｃｏｎｔｒｏｌ  Ａｒｅａ  Ｎｅｔｗｏｒｋ）通信）を介してその検出値を取得してこれを用いエンジン１２０を制御する。回転数センサ１２１は例えば、エンジン回転数を検出するパルスセンサを用いてエンジン１２０の出力軸の回転を検出することができる。
【００２４】
変速機１３０は、モータ１３１と変速機構１３２を備える。変速機構１３２は、モータ１３１の回転によって変速を制御する。すなわち変速比の制御は、モータ１３１の回転量を連続的に制御することにより実施される。モータドライバ１４０は、制御線１７２を介してモータ１３１を駆動制御する。
【００２５】
ＥＣＵ１５０は、エンジン回転数、エンジントルク、車速、アクセルペダル開度などの、ＴＣＵ１１０が変速機１３０を制御するために必要な情報を、通信路（例えばＣＡＮ通信）１７３を介してＴＣＵ１１０に対して送信する。
【００２６】
ＴＣＵ１１０は、ＥＣＵ１５０から上記情報を受け取るとともに、通信路（例えばＣＡＮ通信）１７４を介してモータドライバ１４０からモータの状態（モータ回転量、モータ回転速度、モータトルクなど）を表す情報を受け取る。ＴＣＵ１１０は、これら情報を用いて、後述するスライディングモード制御を実施することによりモータ１３１の回転量を制御量として算出し、これをモータドライバ１４０に対して通知する。モータドライバ１４０は、その制御量にしたがってモータ１３１を駆動制御する。
【００２７】
図２は、ＴＣＵ１１０の内部構成を示すブロック図である。ＴＣＵ１１０は、目標値設定部１１１、制御部１１２、実測値検出部１１６、状態量演算部１１７を備える。制御部１１２はさらに、等価制御入力演算部１１３、非線形制御入力演算部１１４、切換関数演算部１１５を備える。
【００２８】
目標値設定部１１１は、ＥＣＵ１５０より受信したエンジン回転数、エンジントルク、車速、アクセルペダル開度などの情報に基づき制御量の目標値を設定し、これを制御部１１２に対して出力する。具体的には、例えばエンジン回転数の目標値を設定する。制御部１１２の動作については後述する。実測値検出部１１６は、回転数センサ１２１からエンジン回転数を取得する。
【００２９】
状態量演算部１１７は、取得したエンジン回転数に基づき、スライディングモード制御における制御対象の状態量を算出する。具体的には、後述する数式で説明するように、３次の状態量を算出する。第１次の状態量は、目標値設定部１１１が設定した目標値と第２次の状態量との間の偏差を時間積分した値である。第２次の状態量は、エンジン回転数である。第３次の状態量は、エンジン回転数の変化の割合である。
【００３０】
等価制御入力演算部１１３、非線形制御入力演算部１１４、切換関数演算部１１５は、後述する手順にしたがって、それぞれスライディングモード制御における等価制御入力、非線形制御入力、切換関数σを算出する。
【００３１】
＜本発明におけるスライディングモード制御について＞
以下では本発明におけるスライディングモード制御の詳細を説明する。本発明においては、エンジン回転数の指令値に対する追従性と応答性を引き出すため、サーボ制御系を設計する。具体的には、上述の１〜３次の状態量を制御対象の状態量として用いる、拡大系のコントローラを設計する。この拡大系における状態量ベクトルＸは、下記式１によって表される。ｘはエンジン回転数、ｒは目標値、ｘ１〜ｘ３は１〜３次の制御量である。
【００３２】
【数１】
0006564732.tif 000002
【００３３】
この拡大系コントローラを設計するための状態方程式は、下記式２によって表される。ｚは式１におけるｘ１に対応する。式２を展開して整理すると、下記式３が得られる。Ｕは制御入力であり、Ｒは目標値である。
【００３４】
【数２】
0006564732.tif 000003
【００３５】
【数３】
0006564732.tif 000004
【００３６】
切換関数σは、下記式４によって定義される。Ｓは超平面である。
【００３７】
【数４】
0006564732.tif 000005
【００３８】
等価制御入力は、制御対象を超平面上に安定させる作用を有する。制御対象が超平面上に安定しているとき、切換関数σについて下記式５が成り立つ。
【００３９】
【数５】
0006564732.tif 000006
【００４０】
式５に対して式３を代入すると、下記式６が導かれる。式６にしたがって等価制御入力を設計することができる。
【００４１】
【数６】
0006564732.tif 000007
【００４２】
超平面Ｓは、設計はシステムの極を利用し極配置法を用いてフィードバックゲインを超平面Ｓとして選定することにより、設計することができる。したがって下記式７に基づき超平面を設計することができる。
【００４３】
【数７】
0006564732.tif 000008
【００４４】
切換関数σの値は、制御目標と超平面との間の距離を表しているので、切換関数σ＝０を実現することが非線形制御入力の目標である。切換関数σ＝０を実現するためのリアプノフ関数の候補を下記式８にしたがって選択する。
【００４５】
【数８】
0006564732.tif 000009
【００４６】
スライディングモードが存在するのは下記式９が成り立つときである。このとき非線形制御入力Ｕｎｌは下記式１０によって表される。
【００４７】
【数９】
0006564732.tif 000010
【００４８】
【数１０】
0006564732.tif 000011
【００４９】
Ｋｎｌは、非線形制御入力の大きさを決める切換ゲインである。切換ゲインＫｎｌが正値であれば式９を満たすので、安定なスライディングモードが実現される。平滑関数は、非線形制御入力を超平面の前後で切り換える際における変化率を制限することによりチャタリングを抑制する関数である。平滑関数は切換関数σの値とその絶対値によって構成されているので、符号関数ｓｇｎ（σ）と同様の効果を発揮し、非線形制御入力を超平面の前後で切り替える作用を有する。ただし平滑関数パラメータにより、超平面前後における非線形制御入力の変化率を調整することができる。
【００５０】
モデル化誤差や外乱の最大値よりも切換ゲインＫｎｌを大きく設定することにより、制御対象を超平面に拘束させる機能を向上することができる。他方で、切換ゲインＫｎｌを大きく設定することは、超平面前後で非線形制御入力を大きく非連続的に変化させることと等しいので、制御段差が生じる。これにより、制御対象が高周波振動する現象（チャタリング）が生じ、制御対象の動作を不安定化させてしまう場合がある。
【００５１】
そこで本発明に係るＴＣＵ１１０は、式１０における切換ゲインＫｎｌを下記式１１にしたがって定めることとした。これにより、非線形制御入力Ｕｎｌは平滑関数にしたがって切り替えられるとともに、その大きさが式１１によって定められる切換ゲインＫｎｌにしたがって変動することになる。
【００５２】
【数１１】
0006564732.tif 000012
【００５３】
切換関数σの値は、制御対象から超平面までの距離（すなわち外乱量）を表す。式１１における適応ゲインＫσ１（第１パラメータ）は、外乱量の時間積分に基づき算出されるので、制御対象が超平面近傍に維持されている場合は切換ゲインＫｎｌが小さくなり、安定的に切換関数σ＝０となるように制御が実施される。これに対して、モデル化誤差、負荷変動、経年劣化にともなう非線形な特性変化などが生じている場合は、外乱量が大きいことになるので切換ゲインＫｎｌが大きくなり、制御応答性やロバスト性が維持される。
【００５４】
切換関数σが０に立ち下がったとき切換ゲインＫｎｌを即座に０にすると、非線形制御入力が０と０以外との間で頻繁に切り替わり、チャタリングを生じさせる可能性がある。そこでＫσ１の第１項において時定数τを導入した。Ｋσ１の第１項は、切換関数σ＝０になった後、時定数τに対応する時間が経過した時点で０になる。したがって、切換関数σ＝０になったとしても、ある程度の時間はＫσ１が０にならずに維持されるので、制御対象が超平面上に拘束される状態を維持することができる。これにより過剰なチャタリングを抑制することができる。
【００５５】
切換関数σが０に維持される期間が続いたとき、Ｋσ１は時定数τが経過した後に０となる。そうすると、Ｋσ１のみを用いるのであれば切換ゲインＫｎｌもその期間は０となるので、外乱が生じたときに非線形制御入力が立ち上がるのが遅れる。すなわち外乱に対してロバスト性が弱くなってしまう。そこで切換関数σ＝０であっても微小な非線形制御入力が維持されるように、Ｋσ２（第２パラメータ）を設けた。Ｋσ２の作用により、切換関数σとＫσ１がともに０になっても微小な切換ゲインＫｎｌが維持されるので、制御対象を超平面近傍に維持することができる。ただし切換関数σ＝０のとき制御対象と超平面との間の距離が広がるのは望ましくないので、その許容範囲を考慮した安全率を乗じてＫσ２が微小範囲内に維持されるように配慮した。
【００５６】
Ｋσ２を設定する手順として例えば以下のようにすることができる。制御運転開始時はＫσ１を式１１にしたがって逐次算出し、実際に得られたＫσ１の最大値Ｋσ１＿ｍａｘに安全率（１未満０超の値、例えば０．５〜０．８）を乗算したものをＫσ２として用いることができる。これにより、スライディングモード制御の特徴を活かしつつ、定常時の安定性を得ることができる。
【００５７】
図３は、式１１によって表される切換ゲインＫｎｌを用いた非線形制御入力Ｕｎｌの経時変化を表すタイミングチャートの例である。切換関数σのタイミングチャートを波形３０１のように設定した。波形３０２は、式１１を用いて切換ゲインＫｎｌを算出した場合における非線形制御入力Ｕｎｌの波形である。波形３０３は、切換ゲインＫｎｌが固定値である場合における非線形制御入力Ｕｎｌの波形である。式１０はいずれの波形においても共通である。
【００５８】
波形３０３においてはＫｎｌの値がσの値によらず一定の値であるので、σの値が変化するのにともなってＵｎｌが大きく変化して切換段差が生じる。これに対し波形３０２においてはＫｎｌの値が切換関数σの値に応じて変化するので、σの値が小さい期間においては切換段差が軽減され安定的に制御できる。またσの値が大きい期間においてはＫｎｌが大きくなるので、制御対象を超平面に拘束する性能が上がり、応答性を上げるとともにロバスト性が得られる。
【００５９】
図４は、ＴＣＵ１１０の動作例を示すタイミングチャートである。図４において、制御対象の目標値４０１をステップ状に変化させたときの制御応答／切換関数／非線形制御入力の波形を示している。波形４０２／４０３／４０４は、式１１にしたがって切換ゲインＫｎｌを算出した場合における各波形である。波形４０６／４０７／４０８は、切換ゲインＫｎｌが固定値である場合における各波形である。
【００６０】
波形４０２は、定常状態となった時刻ハにおいて制御応答が目標値に収束している。これに対し波形４０６は、時刻ハにおいても制御応答が目標値に収束していない。また切換関数σについて、波形４０３は時刻ロにおいて０に収束しているのに対して、波形４０７は０に収束するのが遅れていることが分かる。以下、これら波形の差異をもたらす要因について補足する。
【００６１】
時刻イにおいては、切換関数σと超平面との間の距離が大きいことに対応して、切換関数σは増加する。非線形制御入力の波形４０８は切換ゲインＫｎｌが固定値であるので、十分な制御量が得られない。したがって制御応答の波形４０６は目標値に対して遅れている。他方で波形４０４は切換関数σに応じて切換ゲインＫｎｌが変化するので、非線形制御入力が大きくなる。したがって制御目標を超平面上へ拘束する作用が強く働くので、σ＝０へ速く到達できる。この作用により制御応答も速くなる。
【００６２】
制御応答が定常状態に達すると（時刻ハ）、波形４０４は切換関数σに応じて切換ゲインＫｎｌを小さくするので、非線形制御入力は小さくなる。したがってＵｎｌの振幅４０５は、波形４０８の振幅４０９と比較して小さい。これにより、定常状態において制御対象を超平面近傍に安定させ、チャタリングの影響を抑制することができる。
【００６３】
＜本発明のまとめ＞
本発明に係るＴＣＵ１１０は、スライディングモード制御における非線形制御入力のゲイン（切換ゲイン）Ｋｎｌを、切換関数σの値に応じて動的に調整する。これにより、制御対象が超平面近傍であるときは切換ゲインＫｎｌが小さくなるので、過剰なチャタリングを抑制して定常時の安定性を得ることができる。また例えば予期しない外乱や動特性の変化が生じたときは切換関数σが０から離れて切換ゲインＫｎｌが大きくなるので、制御対象を超平面へ拘束する作用を強く働かせることができる。これにより、応答性とロバスト性を維持することができる。
【００６４】
本発明に係るＴＣＵ１１０によれば、切換ゲインＫｎｌを動的に調整するので、あらかじめ切換ゲインＫｎｌを状況ごとに設定しておく必要がなくなる。したがって、制御が複雑になることを抑制するとともに、ゲインマップなどをチューニングする工数を減少することができる。
【００６５】
＜本発明の変形例について＞
式１０において、切換ゲインＫｎｌに対して平滑関数を乗じているが、式１０における平滑関数は符号関数ｓｇｎ（σ）と同様の役割を有するので、平滑関数に代えて符号関数を用いてもよい。
【００６６】
以上の説明においては、変速機１３０が備えるモータ１３１をスライディングモード制御によって制御する例を説明した。これは、自動変速機の変速機構においては外乱要因が非常に多く、制御対象の動特性を一義に決めることが困難であり、制御にロバスト性をもたせることが非常に重要であることに鑑みたものである。しかし本発明の対象はこれに限られるものではなく、状態量が時間的に変化する任意の制御対象をスライディングモード制御によって制御する場合にも適用することができる。
【００６７】
例えば、油圧ソレノイドやモータなどの電制アクチュエータ、内燃機関、制動装置などの装置を制御対象としてスライディングモード制御を実施する場合において、非線形制御入力の切換ゲインを本発明にしたがって調整することができる。
【００６８】
上記各構成、機能、処理部、処理手段等は、それらの一部や全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリ、ハードディスク、ＳＳＤ（Ｓｏｌｉｄ  Ｓｔａｔｅ  Ｄｒｉｖｅ）等の記録装置、ＩＣカード、ＳＤカード、ＤＶＤ等の記録媒体に格納することができる。
【符号の説明】
【００６９】
１００：車両、１１０：ＴＣＵ、１１１：目標値設定部、１１２：制御部、１１６：実測値検出部、１１７：状態量演算部、１２０：エンジン、１３０：変速機、１４０：モータドライバ、１５０：ＥＣＵ。
【図１】
0006564732.tif 000014
【図２】
0006564732.tif 000015
【図３】
0006564732.tif 000016
【図４】
0006564732.tif 000017